(57)【要約】【課題】メタリック加入者線路を使用する通信システムの各局における近端漏話を回避する。【解決手段】互いに地理的に離間している一方の局のクロック位相を他方の局に局間伝送で生じる遅延を加えて供給する。【選択図】　　　　図１４
2004040569.tif 000002
【特許請求の範囲】
【請求項１】
２つの地理的に離れた局において、一方の局のクロック位相を他方の局に局間伝送で生じる伝送遅延を加えて供給することを特徴とするクロック位相供給方法。
【請求項２】
前記２つの局をメタリック加入者線路で互いに接続されるクロック局及びユーザー宅とし、前記クロック局がクロック供給装置と、該クロック供給装置からのクロック信号をそれぞれ受信する回線終端装置及びＡＴＵ−Ｃを具え、且つ前記ユーザー宅が網終端装置及びＡＴＵ−Ｒを具えていることを特徴とする請求項１に記載のクロック位相供給方法。
【請求項３】
前記伝送遅延を前記２局間の伝送で使用される伝送フレームを利用して供給することを特徴とする請求項１に記載のクロック位相供給方法。
【請求項４】
前記伝送フレームをＴＴＣ標準ＪＴ−Ｇ７０７、７０８，７０９に規定されるＳＤＨ伝送方式で規定されるＳＤＨフレームとし、該ＳＤＨフレームのセクションオーバーヘッド中の未使用バイトに前記伝送遅延を示すバイトを新たに定義し、該新たに定義されたクロック位相に関するバイト情報を認識し、該バイト情報に応じたクロックを生成して他の各動作装置に供給することを特徴とする請求項３に記載のクロック位相供給方法。
【請求項５】
前記クロック局が、ＴＴＣ標準ＪＴ−Ｇ９６１に規定されるＩＳＤＮディジタル加入者通信に必要な４００Ｈｚクロックを生成して自局の前記回線終端装置に供給することを特徴とする請求項３に記載のクロック位相供給システム。
【請求項６】
メタリック加入者線路で結ばれる地理的に離れた２つの局間におけるクロック位相供給システムであって、前記一方の局が光ファイバで互いに接続されるクロック局及び遠隔局を含み、前記クロック局がクロック供給装置と、該クロック供給装置のクロック信号をそれぞれ受信するＳＤＨ装置及びＡＴＵ−Ｃとを具え、前記遠隔局がクロック分配機能を有するＳＤＨ伝送装置と、該ＳＤＨ伝送装置が分配する分配用クロックを受信する回線終端装置を具え、前記メタリック加入者線路で結ばれる他方の局を網終端装置及びＡＴＵ−Ｒを具えているユーザー宅とするクロック位相供給システムにおいて、前記遠隔局のＳＤＨ伝送装置が前記クロック局の位相に局間伝送で生じる伝送遅延を加えて前記回線終端装置に供給するようにしたことを特徴とするクロック位相供給システム。
【請求項７】
前記遠隔局に収容されているＳＤＨ伝送装置に前記クロック局のＳＤＨ装置にて生成されるＳＤＨフレームのセクションオーバーヘッド中の未使用バイトに新たにクロック情報を記述する新バイトを定義して前記クロック局のクロック位相情報を送信し、前記遠隔局のＳＤＨ伝送装置が前記位相情報に基づいて前記クロック局のクロック位相に同期したクロックを生成して前記回線終端装置に供給するようにしたことを特徴とする請求項６に記載のクロック位相供給システム。
【請求項８】
メタリック加入者線路で結ばれる地理的に離れた２つの局間におけるクロック位相供給システムであって、前記一方の局が光ファイバで互いに接続されるクロック局及び遠隔局を含み、前記クロック局がクロック供給装置と、該クロック供給装置のクロック信号をそれぞれ受信するＳＤＨ装置及び回線終端装置とを具え、前記遠隔局がクロック分配機能を有するＳＤＨ伝送装置と、該ＳＤＨ伝送装置が分配する分配用クロックを受信するＡＴＵ−Ｃを具え、前記メタリック加入者線路で結ばれる他方の局を網終端装置及びＡＴＵ−Ｒを具えているユーザー宅とするクロック位相供給システムにおいて、前記遠隔局のＳＤＨ伝送装置が前記クロック局の位相に局間伝送で生じる伝送遅延を加えて前記ＡＴＵ−Ｃに供給するようにしたことを特徴とするクロック位相供給システム。
【請求項９】
前記遠隔局に収容されているＳＤＨ伝送装置に前記クロック局のＳＤＨ装置にて生成されるＳＤＨフレームのセクションオーバーヘッド中の未使用バイトに新たにクロック情報を記述する新バイトを定義して前記クロック局のクロック位相情報を送信し、前記遠隔局のＳＤＨ伝送装置が前記位相情報に基づいて前記クロック局のクロック位相に同期したクロックを生成して前記ＡＴＵ−Ｃに供給するようにしたことを特徴とする請求項７に記載のクロック位相供給システム。
【請求項１０】
前記クロック局のＳＤＨ装置が、前記クロック供給装置からのクロックを受信するクロック受信部と、該クロック受信部からの４００Ｈｚの受信信号に位相同期した４００Ｈｚのクロックを生成するクロック生成部と、動作用クロックに同期してＳＤＨフレームを生成し、該ＳＤＨフレームのセクションオーバーヘッド中の未使用バイトに４００Ｈｚ位相情報を示すＣＫバイトを定義する機能を有する信号送信部を具え、前記遠隔局のＳＤＨ伝送装置が、前記クロック局のＳＤＨ装置の信号送信部からの信号を受信すると共に前記ＣＫバイトを認識する機能を有する信号受信部と、該信号受信部の受信信号のＳＤＨフレームを識別すると共に前記ＣＫバイトも識別するＳＤＨフレーム識別部と、前記ＳＤＨフレーム周期８ｋＨｚに同期した８ｋＨｚクロック信号を生成すると共に前記ＣＫバイトの識別結果に同期した４００Ｈｚクロックも生成するクロック抽出部と、該クロック抽出部から受信したクロックに同期した各部動作用クロックを生成するクロック生成部と、該クロック生成部から受信したクロックに同期したクロックを生成すると共に４００Ｈｚのクロック位相から（２５００−５６）μｓｅｃ遅延した４００Ｈｚクロックを生成して前記遠隔局内の他の装置に分配するクロック分配部を具えていることを特徴とする請求項６又は８に記載のクロック位相供給システム。
【発明の詳細な説明】
【０００１】
【発明の属する技術分野】
本発明は、クロック位相供給方法及びシステムに関し、特にメタリック加入者線路を使用するＩＳＤＮシステムとＡＤＳＬシステムが共存する電気通信システムのクロック位相を同期させるためのクロック位相供給方法及びシステムに関するものである
【０００２】
【従来の技術】
通信事業者の加入者線収容局とユーザー宅との間にメタリック加入者線路を使用する通信システムでは、他の回線からの近端漏話（Ｎｅａｒ　Ｅｎｄ　Ｃｒｏｓｓ　Ｔａｌｋ：以後単にＮＥＸＴと称する）や、遠端漏話（Ｆａｒ　Ｅｎｄ　Ｃｒｏｓｓ　Ｔａｌｋ：以後単にＦＥＸＴと称する）が発生する。特にＮＥＸＴは線路による減衰の影響が無いため、その雑音レベルが大きく、回避の必要性が大である。
【０００３】
ＩＴＵ−Ｔ　Ｇ９９２．１（ＡｎｎｅｘＣ）にはＡＤＳＬシステムがＴＴＣ標準ＪＴ−Ｇ９６１で規定されるＩＳＤＮシステムからのＮＥＸＴを回避するための仕様が記述されている。
【０００４】
以下、ＡＤＳＬシステムにおけるＩＳＤＮシステムからのＮＥＸＴ回避方法について述べる。
【０００５】
図１は、クロック局１とユーザー宅２との間に伝送距離Ｌのメタリック加入者線路３を使用する通信システムにおけるＩＳＤＮ回線とＡＤＳＬ回線の構成を示した図である。クロック局１内には、クロック供給装置４及びこれからのクロック信号をそれぞれ受信する回線終端装置５とＡＴＵ−Ｃ６が設置されている。ユーザー宅２には網終端装置７及びＡＴＵ−Ｒ８が設置されている。
【０００６】
ＩＳＤＮシステムは局１に設置される回線終端装置５とユーザー宅２に設置される網終端装置７で構成され、回線終端装置５はクロック供給装置４から４００Ｈｚ位相のクロック信号ＣＬＫＮＷ（０）を受信している。ＩＳＤＮシステムは、クロック信号ＣＬＫＮＷ（０）の４００Ｈｚ位相に同期して信号の送受信をするが、メタリック加入者線路３の伝送路長がＬの場合に、ＩＳＤＮの送受信位相関係は伝送路長Ｌによる遅延を受けるために図２に示すようになる。
【０００７】
本文中では、クロック供給装置４が設置される局をクロック局１と呼び、またクロック供給装置４が生成する網（ＮＷ）に同期（網同期、即ち周波数がＮＷ全体で同期）したクロックを表す記号としてＣＬＫＮＷ（ｘ）を使用する。（）内のｘはクロック局１からの線路長を表す。例えば、クロック局１の場合、ｘ＝０であるので、クロック供給装置４からはＣＬＫＮＷ（０）のクロックが各装置に分配されることになる。クロック局１で分配されるクロック信号ＣＬＫＮＷ（０）は線路長ｘの局で受信されるとＣＬＫＮＷ（ｘ）となる。
【０００８】
ＡＤＳＬシステムはクロック局１に設置されるＡＴＵ−Ｃ６とユーザー宅２に設置されるＡＴＵ−Ｒ８により構成される。ＡＴＵ−Ｃ６の信号受信部にとってのＮＥＸＴ源は、同じクロック局１内に設置される回線終端装置５の送信信号であり、また、ユーザー宅２におけるＡＴＵ−Ｒ８の信号受信部にとってのＮＥＸＴ源は、同じユーザー宅２内に設置される網終端装置７の送信信号である。図３にＩＳＤＮ回線からのＮＥＸＴの影響を示してある。
【０００９】
ＡＴＵ−Ｃ６及びＡＴＵ−Ｒ８の信号送信部は、それぞれ回線終端装置５及び網終端装置７が信号を送信しているときには、伝送速度の速い信号（ＦＥＸＴ　Ｓｙｍｂｏｌ）を送信し、それ以外では伝送速度の遅い信号（ＮＥＸＴ　Ｓｙｍｂｏｌ）を送信する。これにより、ＡＴＵ−Ｃ６及びＡＴＵ−Ｒ８の信号受信部は、それぞれ回線終端装置５及び網終端装置７が信号を送信しているとき（ＮＥＸＴ　ｐｅｒｉｏｄ）には、伝送速度の遅い信号（ＮＥＸＴ　Ｓｙｍｂｏｌ）を受信するために符合誤りを回避することができる。
【００１０】
ＮＥＸＴの影響が最大となるのは、回線終端装置５とＡＴＵ−Ｃ６及び網終端装置７とＡＴＵ−Ｒ８がそれぞれ同一局のビル及び同一のユーザー宅に設置されている場合である（図１）。図１の構成でのＩＳＤＮシステムとＡＤＳＬシステムの伝送距離がＬの場合におけるＩＳＤＮ信号とＡＤＳＬ信号との位相関係をＡＤＳＬ下り信号（ＡＴＵ−Ｃ６→ＡＴＵ−Ｒ８）及びＡＤＳＬ上り信号（ＡＴＵ−Ｒ８→ＡＴＵ−Ｃ６）についてそれぞれ図４及び図５に示す。
【００１１】
ＡＴＵ−Ｃ６及びＡＴＵ−Ｒ８の信号送信部が、それぞれ回線終端装置５及び網終端装置７がＮＥＸＴ源となる信号を送信しているときにＦＥＸＴ　Ｓｙｍｂｏｌの信号を送信するためには、ＡＤＳＬシステムをＩＳＤＮシステムのクロックの４００Ｈｚ位相に同期させる必要がある。そのためにクロック局１に設置される回線終端装置５及びＡＴＵ−Ｃ６は、クロック供給装置４から同じクロック信号ＣＬＫＮＷ（０）を受信し、また、ユーザー宅２に設置される網終端装置７及びＡＴＵ−Ｒ８はそれぞれ信号からクロックＣＬＫＮＷ（Ｌ）を生成して、信号の送受信タイミングに利用している。
【００１２】
これまでは、クロック局１に回線終端装置５及びＡＴＵ−Ｃ６が設置されるケースについて述べたが、次はクロック供給装置４の設置が不可能な小規模の遠隔局でのＡＤＳＬシステムとＩＳＤＮシステムの共存について述べる。
【００１３】
図６に上記ケースでのシステム構成を示す。この図６及び後に説明する各図において、図１に示したものと同じ機能をするものには同じ参照番号を付して示してある。図６の場合には、クロック局１と遠隔局９との間が光ファイバ１０で結ばれ、クロック局１にはクロック供給装置４及びＳＤＨ（ディジタル・ハイアラーキ）装置１１が設置される。クロック局１から光ファイバ長にして距離Ｓ離れた遠隔局９にはＳＤＨ装置１２、回線終端装置５及びＡＴＵ−Ｃ６が設置される。この遠隔局９では、クロック分配機能を有するＳＤＨ伝送装置（図６中ＳＤＨ装置１２）が、クロック局１におけるクロック供給装置４の代わりを果たし、遠隔局９内の装置にクロックＣＬＫＥＱＰ（０）を分配する。ただし、本文中ではＳＤＨ装置１２が生成する分配用クロックをＣＬＫＥＱＰ（ｘ）で表すことにする。（）内のｘは遠隔局９からの線路長を表す。
【００１４】
ＣＬＫＥＱＰ（ｘ）が生成される過程については後述するが、一般にＣＬＫＥＱＰ（ｘ）はＣＬＫＮＷ（ｘ）に周波数同期しているも、４００Ｈｚ位相は非同期である。
【００１５】
遠隔局９における回線終端装置５とＡＴＵ−Ｃ６は、ＳＤＨ装置１２から同一クロックＣＬＫＥＱＰ（０）を受信しているので、この場合におけるＩＳＤＮシステムとＡＤＳＬシステムとの位相関係は、前述した図４及び図５のＣＬＫＮＷ（０）及びＣＬＫＮＷ（Ｌ）がＣＬＫＥＱＰ（０）及びＣＬＫＥＱＰ（Ｌ）にそれぞれ置き換えられるだけで、その他は全く同一であるために、この場合における図は省略する。
【００１６】
従って、回線終端装置５及びＡＴＵ−Ｃ６が同一クロックを受信している限り、これらの装置がクロック局１又は遠隔局９いずれに設置されようと、ＡＤＳＬシステムはＩＳＤＮシステムからのＮＥＸＴを回避することが可能である。
【００１７】
図７は現行ＳＤＨ装置のクロック系を示したブロック図であり、ＳＤＨ装置１１はクロック受信部１３と、クロック生成部１４と、ＭＵＸ部１５と、ＤＭＵＸ部１６と、信号送信部１７と、信号受信部１８で構成される。
【００１８】
ＳＤＨ装置１２はクロック生成部１９と、クロック分配部２０と、ＳＤＨフレーム識別部２１と、クロック抽出部２２と、信号受信部２３と、信号送信部２４と、ＭＵＸ部２５と、ＤＭＵＸ部２６で構成される。
【００１９】
クロック受信部１３は、外部のクロック供給装置４からのクロック信号、図７の例ではＣＬＫＮＷ（０）を受信し、クロック生成部１４に８ｋＨｚ及び４００Ｈｚのクロックを送信する。クロック受信部１３が生成する８ｋＨｚ及び４００Ｈｚのクロックの位相は、それぞれ受信クロックの８ｋＨｚ及び４００Ｈｚの位相に同期している。
【００２０】
クロック生成部１４は、受信したクロックに同期した各部動作用のクロック（この場合、１５６ＭＨｚ及び８ｋＨｚ）を生成する。このときクロック受信部１３が受信した外部クロックの４００Ｈｚの位相は失われる。クロック生成部１４で生成されたクロックはＳＤＨ装置１１内の各部に送信される。
【００２１】
信号送信部１７は動作用クロックに同期してＳＤＨフレーム（周期：１２５μｓｅｃ　１／８ｋＨｚ）を生成し、このＳＤＨフレームのペイロードに情報を乗せて、伝送距離にしてＳ離れたＳＤＨ装置１２の信号受信部２３に送信する。
【００２２】
ＳＤＨ装置１２の信号受信部２３はＳＤＨ装置１１の信号送信部１７からの信号を受信する。ＳＤＨフレーム識別部２１は、信号受信部２３の受信信号のＳＤＨフレームを識別し、その識別結果に基づいてクロック抽出部２２がＳＤＨフレーム周期８ｋＨｚに同期した８ｋＨｚのクロック信号を生成して、クロック生成部１９に送信する。クロック生成部１９は、受信したクロックに同期した各部動作用のクロック（この場合、１５６ＭＨｚ及び８ｋＨｚ）を生成して、ＳＤＨ装置１２内の各部に送信する。クロック分配部２０は、クロック生成部１９から受信したクロックに同期したクロックを生成し、遠隔局９内の他の装置にＣＬＫＥＱＰ（０）として分配する。このときＣＬＫＥＱＰ（０）の４００Ｈｚの位相はクロック分配部２０に依存しており、ＣＬＫＮＷ（Ｓ）とは独立である。
【００２３】
【発明が解決しようとする課題】
近年光ファイバーの敷設、特に遠隔局までの光ファイバー化が進められ、クロック局のメタリック線路収容回線は遠隔局に収容変更がなされている。この収容変更により、図８に示すようにＡＴＵ−Ｃ６をクロック局１に、回線終端装置５を遠隔局９に設置するか、又は回線終端装置５をクロック局１に、ＡＴＵ−Ｃ６を遠隔局９に設置するようなＩＳＤＮ及びＡＤＳＬの収容構成が発生し、もはや回線終端装置とＡＴＵ−Ｃが同一クロックを受信することはできなくなる。
【００２４】
図８の場合、遠隔局９に設置されている回線終端装置５が受信しているクロックＣＬＫＥＱＰ（０）の４００Ｈｚ位相は、クロック局１に設置されているＡＴＵ−Ｃ６がクロック供給装置４から受信しているクロックＣＬＫＮＷ（０）が遠隔局９に供給された場合に相当するクロックＣＬＫＮＷ（Ｓ）の４００Ｈｚ位相には同期しなくなる。これは、回線終端装置５がクロック局に設置され、ＡＴＵ−Ｃが遠隔局に設置される場合にも云えることである。
【００２５】
ＩＳＤＮシステムはＡＤＳＬシステムとは独立に信号の送信を行うため、ユーザー宅２のＡＴＵ−Ｒ８がＮＥＸＴ　ｐｅｒｉｏｄで伝送速度の速い（単位時間当りのデータが多い）ＦＥＸＴ　Ｓｙｍｂｏｌを受信し、網終端装置７からのＮＥＸＴを回避できないケースが発生する。このように、ＩＳＤＮ信号（伝送距離０）からのＮＥＸＴが下りＦＥＸＴ　ｐｅｒｉｏｄに重なるケースを図９に示してある。クロック局１のＡＴＵ−Ｃ６でもタイミング的には同様に、ＮＥＸＴ　ｐｅｒｉｏｄでＦＥＸＴ　Ｓｙｍｂｏｌを受信し、遠隔局９における回線終端装置５からのＮＥＸＴを回避できないケースが発生するが、この場合にはＡＴＵ−Ｃ６と回線終端装置５との距離がＳ離れているため問題とはならない。
【００２６】
このような問題は、ＳＤＨ装置を介するクロック供給系においては、クロック局１のクロック供給装置４によって供給されるクロックＣＬＫＮＷ（０）の４００Ｈｚ位相情報が失われるため、この４００Ｈｚ位相に関しては、遠隔局９にて任意に生成されるクロックＣＬＫＥＱＰ（０）とクロック局１のクロック供給装置４から伝送距離Ｓの遠隔局９に供給された場合に相当するクロックＣＬＫＮＷ（Ｓ）とに位相差が生じるために発生するものである。このような従来技術でのクロック位相差が生じる様子を図１０に示してある。
【００２７】
本発明の目的は、上述したような問題に鑑み、クロック局から線路長にしてＳ離れた遠隔局にクロック局からのクロックＣＬＫＮＷ（Ｓ）と同等のクロックを供給するために、遠隔局に収容されているＳＤＨ装置にクロック局のＳＤＨ装置にて生成されるＳＤＨフレームのセクションオーバーヘッド中の未使用バイトに新たにクロック情報を記述する新バイトを定義して、クロック局のクロック位相情報を送信し、前記遠隔局のＳＤＨ装置が前記位相情報に基づいてクロック局のクロック位相に同期したクロックを生成して回線終端装置に供給することにより、ＩＳＤＮ⇔ＡＤＳＬ間のＮＥＸＴを回避するクロック位相供給方法及びシステムを提供することにある。
【００２８】
【課題を解決するための手段】
先ず、クロック局におけるＳＤＨ装置により生成されるＳＤＨフレームに、当該クロック局のクロック供給装置から供給されるクロックＣＬＫＮＷ（０）の４００Ｈｚ位相情報を追加する方法について述べる。
【００２９】
図１１にＳＤＨフレームの例として従来のＳＴＭ−１（１５６Ｍｂ／ｓ）のフレーム構成を示す。ＳＴＭ−１のＳＤＨフレームは９行２７０列の２次元のバイト配列で表現される。先頭の９行９列はセクションオーバーヘッド（ＳＯＨ）とＡＵポインタから成り、それに続く９行２６１列はペイロードと呼ばれ多重化情報を収容する。ＳＯＨには図１１に示すように、未使用バイトが存在する。
【００３０】
本発明によれば、前記課題を解決するための手段として、上記未使用バイトにクロック局の４００Ｈｚクロック位相情報を示すバイト（以下ＣＫバイトと呼ぶ）を新しく定義し、その新しく定義されたバイトを認識／制御するための機能をクロック局内のＳＤＨ装置におけるクロック生成部及び信号送信部と、遠隔局内のＳＤＨ装置における信号受信部、ＳＤＨフレーム識別部、クロック抽出部クロック生成部及びクロック分配部に追加する。
【００３１】
【発明の実施の形態】
ＩＳＤＮ及びＡＤＳＬの収容構成は図８と同じであるとする。
ＣＫバイトはＳＤＨフレームのセクションオーバーヘッドにおける未使用バイトならいずれでも良いのであるが、ここでは例として図１２の位置に定義する。この場合、ＣＫバイトはＳＤＨフレームの先頭位置から５６．０μｓｅｃに位置する。
【００３２】
図１３にＣＫバイトによる４００Ｈｚ位相の表現方法を例示する。これも「４００Ｈｚ位相有り」と「４００Ｈｚ位相情報無し」を区別できさえすればよいので図１３は一例である。
【００３３】
図１４に本発明の構成を示す。この図に示す各ＳＤＨ装置のクロック系の構成は図７に示した構成と同じであり、同じ参照番号を付して示してあるが、本発明によれば、図１４中に太線で描かれているＳＤＨ装置１１内のクロック生成部１４及び信号送信部１７と、ＳＤＨ装置１２内の信号受信部２３、ＳＤＨフレーム識別部２１、クロック抽出部２２、クロック生成部１９及びクロック分配部２０に以下に列挙する新規機能を持たせる。
【００３４】
ＳＤＨ装置１１内のクロック生成部１４は、受信信号４００Ｈｚに位相同期した４００Ｈｚのクロックを生成する機能を新規に有する。信号送信部１７は受信した４００Ｈｚのクロック位相に同期してＣＫバイトを制御する機能を新規に有する。
【００３５】
ＳＤＨ装置１２内の信号受信部２３はＣＫバイトを認識する機能を新規に有し、ＳＤＨフレーム識別部２１はＣＫバイト識別結果をクロック抽出部２２に送信する機能を新規に有する。
【００３６】
クロック抽出部２２はＣＫバイトの識別結果に同期した４００Ｈｚクロックを生成する機能を新規に有し、クロック生成部１９は受信した４００Ｈｚクロックに同期した４００Ｈｚクロックを生成する機能を新規に有し、クロック分配部２０は受信した４００Ｈｚクロック位相から（２５００−５６）μｓｅｃ遅延した４００Ｈｚクロックを生成する機能を新規に有する。
【００３７】
ＳＤＨ装置１１のクロック生成部１４は、クロック受信部１３からの８ｋＨｚ、４００Ｈｚクロックを基に１５６ＭＨｚ、８ｋＨｚ、４００Ｈｚクロックを生成する。前記クロック生成部１４の生成する４００Ｈｚの位相はＣＬＫＮＷ（０）の４００Ｈｚ位相に同期している。ＳＤＨ装置１１の信号送信部１７はクロック生成部１４からの４００Ｈｚクロックに同期してＣＫバイトを制御する。
【００３８】
ＳＤＨ装置１２のＳＤＨフレーム識別部２１は、信号受信部２３の受信信号からＳＤＨフレーム及びＣＫバイトを識別し、クロック抽出部２２はその識別結果に基づいてＳＤＨフレーム周期の８ｋＨｚに同期した８ｋＨｚクロックとＣＫバイトの変化周期４００Ｈｚに同期した４００Ｈｚクロック信号を生成し、クロック生成部１９に送信する。この生成クロックの４００Ｈｚ位相はＣＬＫＮＷ（Ｓ）に対して５６．０μｓｅｃ遅延している。
【００３９】
クロック生成部１９はクロック抽出部２２から受信したクロックを基に１５６ＭＨｚ、８ｋＨｚ、４００Ｈｚクロックを生成し、装置各部及びクロック分配部２０に送信する。クロック分配部２０はクロック生成部１９から受信したクロックを基に分配用クロックＣＬＫＥＱＰ（０）を生成、分配する。このときクロック分配部２０は４００Ｈｚの位相を受信した４００Ｈｚクロックから２５００μｓｅｃ−５６．０μｓｅｃ遅延させて生成する。この動作により、ＣＬＫＥＱＰ（０）の４００Ｈｚ位相はＣＬＫＮＷ（Ｓ）に同期する。
【００４０】
図１５に本発明による場合の各クロックの位相関係を示す。ただし、光ファイバーとメタルケーブルでの信号遅延をほぼ同程度としている。
【００４１】
また図１６及び図１７に本実施例でのＡＤＳＬとＩＳＤＮの位相関係をＡＤＳＬ下り信号（ＡＴＵ−Ｃ→ＡＴＵ−Ｒ）及びＡＤＳＬ上り信号（ＡＴＵ−Ｒ→ＡＴＵ−Ｃ）それぞれについて示す。図１７に示すように遠隔局の回線終端装置がＣＬＫＮＷ（Ｓ）と同等の４００Ｈｚ位相であるＣＬＫＥＱＰ（０）を受信することにより、もはやＡＴＵ−ＲがＮＥＸＴ　ｐｅｒｉｏｄでＦＥＸＴ　Ｓｙｍｂｏｌを受信することはない。
【００４２】
【発明の効果】
本発明により、回線終端装置とＡＴＵ−Ｃが異なる局ビルに設置されても、ＩＳＤＮシステムとＡＤＳＬシステムの４００Ｈｚ位相を同期させることが可能となるため、ユーザーに対してＮＥＸＴの影響の無いサービスの提供が可能となる。
【図面の簡単な説明】
【図１】集約局収容のＩＳＤＮ回線とＡＤＳＬ回線の構成を示す図である。
【図２】ＩＳＤＮの送受信位相関係を示す図である。
【図３】近端漏話の影響を示す図である。
【図４】ＩＳＤＮ信号（伝送距離Ｌ）とＡＤＳＬ下り信号（伝送距離Ｌ）の位相関係を示す図である。
【図５】ＩＳＤＮ信号（伝送距離Ｌ）とＡＤＳＬ上り信号（伝送距離Ｌ）の位相関係を示す図である。
【図６】遠隔局収容のＩＳＤＮ回線とＡＤＳＬ回線の構成を示す図である。
【図７】ＳＤＨ装置のクロック系の構成を示すブロック図である。
【図８】遠隔局収容のＩＳＤＮ回線と集約局収容のＡＤＳＬ回線の構成を示す図である。
【図９】ＩＳＤＮ信号（伝送距離０）から近端漏話がＦＥＸＴ　ｐｅｒｉｏｄに重なる場合クロックの位相関係を示す図である。
【図１０】従来技術でのクロックの位相関係を示す図である。
【図１１】従来のＳＴＭ−１（１５６Ｍｂ／ｓ）のＳＤＨフレーム構成を示す図である。
【図１２】本発明によりＳＤＨフレームのセクションオーバヘッド中の未使用バイトに４００Ｈｚの位相情報を示すＣＫバイトを定義する位置を示す図である。
【図１３】ＣＫバイトによる４００Ｈｚ位相の表現方法を示す図である。
【図１４】本発明によるＳＤＨ装置のクロック系の構成を示すブロック図である。
【図１５】本発明による場合のクロックの位相関係を示す図である。
【図１６】本発明による場合のＩＳＤＮ信号とＡＤＳＬ下り信号の位相関係を示す図である。
【図１７】本発明による場合のＩＳＤＮ信号とＡＤＳＬ上り信号の位相関係を示す図である。
【符号の説明】
１　クロック局
２　ユーザー宅
３　メタリック加入者線路
４　クロック供給装置
５　回線終端装置
６　ＡＴＵ−Ｃ
７　網終端装置
８　ＡＴＵ−Ｒ
９　遠隔局
１０　光ファイバ
１１，１２　ＳＤＨ装置
１３　クロック受信部
１４　クロック生成部
１５　ＭＵＸ部
１６　ＤＭＵＸ部
１７　信号送信部
１８　信号受信部
１９　クロック生成部
２０　クロック分配部
２１　ＳＤＨフレーム識別部
２２　クロック抽出部
２３　信号受信部
２４　信号送信部
２５　ＭＵＸ部
２６　ＤＭＵＸ部
【図１】
2004040569.tif 000003
【図２】
2004040569.tif 000004
【図３】
2004040569.tif 000005
【図４】
2004040569.tif 000006
【図５】
2004040569.tif 000007
【図６】
2004040569.tif 000008
【図７】
2004040569.tif 000009
【図８】
2004040569.tif 000010
【図９】
2004040569.tif 000011
【図１０】
2004040569.tif 000012
【図１１】
2004040569.tif 000013
【図１２】
2004040569.tif 000014
【図１３】
2004040569.tif 000015
【図１４】
2004040569.tif 000016
【図１５】
2004040569.tif 000017
【図１６】
2004040569.tif 000018
【図１７】
2004040569.tif 000019